【手続補正書】
【提出日】平成20年9月22日(2008.9.22)
【手続補正１】
【補正対象書類名】特許請求の範囲
【補正対象項目名】全文
【補正方法】変更
【補正の内容】
【特許請求の範囲】
【請求項１】
３次元（３Ｄ）環境内で複数のセグメントを用いてアーチワイヤを表現するステップと、
該アーチワイヤに沿った歯列矯正対象の移動を指示する入力を受け取るステップと、
該３Ｄ環境内で、該複数のセグメントに基づいて該アーチワイヤに沿って該歯列矯正対象を指示されるように移動させるステップと、
を含む、方法。
【請求項２】
コンピューティング装置と、
該コンピューティング装置において実行するモデリングソフトウェアであって、
３次元（３Ｄ）環境内で複数のセグメントを用いてアーチワイヤを表現し、
該アーチワイヤに沿った歯列矯正対象の移動を指示する入力を受け取り、
該複数のセグメントに基づいて該アーチワイヤに沿って該歯列矯正対象を指示されるように移動させる対象移動制御モジュール
を備えるモデリングソフトウェアと、
を備えるシステム。
【手続補正２】
【補正対象書類名】明細書
【補正対象項目名】００６１
【補正方法】変更
【補正の内容】
【００６１】
本出願では、以下の態様が提供される。
１．  ３次元（３Ｄ）環境内で複数のセグメントを用いてアーチワイヤを表現するステップと、
該アーチワイヤに沿った歯列矯正対象の移動を指示する入力を受け取るステップと、
該３Ｄ環境内で、該複数のセグメントに基づいて該アーチワイヤに沿って該歯列矯正対象を指示されるように移動させるステップと、
を含む、方法。
２．  前記歯列矯正対象のデジタル表現を表示するステップをさらに含む、態様１に記載の方法。
３．  前記複数のセグメントの各々を幾何学的関係によって規定するステップと、
該セグメントの該規定された幾何学的関係に基づいて前記歯列矯正対象を前記アーチワイヤに沿って移動させるステップと、
をさらに含む、態様１に記載の方法。
４．  前記幾何学的関係が幾何学的曲線である、態様３に記載の方法。
５．  前記幾何学的曲線が、円曲線、放物曲線、楕円曲線、カテナリ曲線、２次曲線、３次曲線、３次スプライン曲線、またはパラメトリック３次曲線である、態様４に記載の方法。
６．  前記幾何学的関係が線形関係である、態様５に記載の方法。
７．  前記複数のセグメントが一平面にある、態様１に記載の方法。
８．  前記複数のセグメントが３次元において屈曲する、態様１に記載の方法。
９．  前記歯列矯正対象を指示されるように移動させるステップが、前記複数のセグメントを規定する前記幾何学的関係に基づいて、指定される位置が該複数のセグメントのいずれの上に位置するかを確定するステップを含む、態様１に記載の方法。
１０．  前記歯列矯正対象が歯列矯正器具であり、歯を該歯列矯正器具に関連づけ、該歯を該歯列矯正器具とともに移動させるステップをさらに含む、態様１に記載の方法。
１１．  前記歯列矯正対象が、歯列矯正器具または歯を含む、態様１に記載の方法。
１２．  前記歯列矯正器具が、歯列矯正ブラケット、バッカルチューブ、シースまたはボタンを含む、態様１１に記載の方法。
１３．  移動を指示する前記入力を、医師からユーザインタフェースを介して受け取るステップをさらに含む、態様１に記載の方法。
１４．  前記医師が、前記歯列矯正対象をクリックし前記アーチワイヤに沿ってドラグすることによって、前記ユーザインタフェースと対話する、態様１３に記載の方法。
１５．  移動を指示する前記入力を治療計画制御モジュールから受け取るステップをさらに含む、態様１に記載の方法。
１６．  前記複数のセグメントの各々が円曲線によって表され、各円曲線が中心および半径によって規定される、態様１に記載の方法。
１７．  前記歯列矯正対象を指示されるように移動させるステップが、前記複数のセグメントを規定する前記中心および前記半径に基づいて、指定される位置が該複数のセグメントのいずれに位置するかを確定するステップを含む、態様１６に記載の方法。
１８．  提案される歯列矯正処方が、各々が歯列弓の複数の歯のうちの異なる１つに関連する複数の歯列矯正器具を含み、前記アーチワイヤが各歯列矯正器具のスロットに受容される、態様１に記載の方法。
１９．  前記歯列矯正対象を指示されるように移動させる結果として、影響を受ける歯列矯正対象を前記アーチワイヤに沿って自動的に移動させるステップをさらに含む、態様１に記載の方法。
２０．  前記影響を受ける対象が、隣接する歯列矯正対象間の相対位置が維持されるように自動的に移動する、態様１９に記載の方法。
２１．  コンピューティング装置と、
該コンピューティング装置において実行するモデリングソフトウェアであって、
３次元（３Ｄ）環境内で複数のセグメントを用いてアーチワイヤを表現し、
該アーチワイヤに沿った歯列矯正対象の移動を指示する入力を受け取り、
該複数のセグメントに基づいて該アーチワイヤに沿って該歯列矯正対象を指示されるように移動させる対象移動制御モジュール
を備えるモデリングソフトウェアと、
を備えるシステム。
２２．  前記歯列矯正対象を前記３Ｄ環境内で表示するユーザインタフェースをさらに備える、態様２１に記載のシステム。
２３．  前記歯列矯正対象が、歯列矯正器具または歯を含む、態様２２に記載のシステム。
２４．  前記歯列矯正器具が、歯列矯正ブラケット、バッカルチューブ、シースまたはボタンを含む、態様２３に記載のシステム。
２５．  前記複数のセグメントの各々が幾何学的関係によって規定される、態様２１に記載のシステム。
２６．  前記幾何学的関係が非線形関係である、態様２５に記載のシステム。
２７．  前記非線形関係が、円曲線、放物曲線、楕円曲線、カテナリ曲線、２次曲線、３次曲線、３次スプライン曲線、またはパラメトリック３次曲線である、態様２６に記載のシステム。
２８．  前記幾何学的関係が線形関係である、態様２５に記載のシステム。
２９．  前記複数のセグメントが一平面にある、態様２１に記載のシステム。
３０．  前記複数のセグメントが３次元において曲がる、態様２１に記載のシステム。
３１．  前記歯列矯正対象を指示されるように移動させることが、前記複数のセグメントを規定する前記幾何学的関係に基づいて、指定される位置が該複数のセグメントのいずれの上に配置されるかを確定することを含む、態様２１に記載のシステム。
３２．  前記歯列矯正対象が歯列矯正器具であり、歯を該歯列矯正器具に関連づけ、該歯を該歯列矯正器具とともに移動させることをさらに含む、態様２１に記載のシステム。
３３．  前記対象移動制御モジュールが、前記指示される移動を治療計画制御モジュールから受け取る、態様２１に記載のシステム。
３４．  前記複数のセグメントの各々が円曲線によって表され、各円曲線が中心および半径によって規定される、態様２１に記載のシステム。
３５．  前記対象移動制御モジュールが、さらに、前記複数のセグメントを規定する前記中心および前記半径に基づいて、指定される位置が前記複数のセグメントのうちのいずれに配置されるかを確定する、態様３４に記載のシステム。
３６．  前記対象移動制御モジュールが、さらに、前記歯列矯正対象を指示されるように移動させる結果として、影響を受ける歯列矯正対象を前記アーチワイヤに沿って自動的に移動させる、態様２１に記載のシステム。
３７．  前記対象移動制御モジュールが、前記影響を受ける歯列矯正対象を、隣接する歯列矯正対象間の相対位置が維持されるように自動的に移動させる、態様３６に記載のシステム。
３８．  アーチワイヤの仮想表現のライブラリを格納するデータベースをさらに備える、態様２１に記載のシステム。
３９．  前記データベースが前記コンピューティング装置からリモートに位置し、ネットワークを介して該コンピューティング装置に結合される、態様３８に記載のシステム。
４０．  前記指示される移動に関する入力を前記医師から受け取るユーザインタフェースをさらに備える、態様２１に記載のシステム。
４１．  プログラム可能なプロセッサに、
３次元（３Ｄ）環境内で複数のセグメントを用いてアーチワイヤを表現させ、
該アーチワイヤに沿った歯列矯正対象の移動を指示する入力を受け取らせ、そして
該複数のセグメントに基づいて該アーチワイヤに沿って該歯列矯正対象が指示されるように移動するようにさせる
ための命令を含む、コンピュータ可読媒体。
４２．  前記命令により、前記プロセッサが、前記複数のセグメントの各々を幾何学的関係を用いて規定する、態様４１に記載のコンピュータ可読媒体。
４３．  前記命令により、前記プロセッサが、前記３Ｄ環境内で前記指定された位置に前記歯列矯正対象を表示する、態様４１に記載のコンピュータ可読媒体。
４４．  前記命令により、前記プロセッサが、前記複数のセグメントを規定する前記幾何学的関係に基づいて、指定された位置が前記複数のセグメントのいずれに配置されるかを確定する、態様４１に記載のコンピュータ可読媒体。
４５．  前記命令により、前記プロセッサが、前記歯列矯正対象を指示されるように移動させる結果として、隣接する歯列矯正対象間の相対位置が維持されるように、影響を受ける歯列矯正対象を前記アーチワイヤに沿って自動的に移動させる、態様４１に記載のコンピュータ可読媒体。
本発明のさまざまな実施形態について説明した。これらおよび他の実施形態は冒頭の特許請求の範囲内にある。